(57)【要約】【課題】特定された原稿に対して、効率的に色再現を保証する。【解決手段】ネットワークを介して入力されたが画像記憶部６４に記憶される。原稿画像はスキャナ部で読み取られ、この読取画像が前段色変換部で測色値に変換される。対応色抽出部６８では、画像記憶部６４に記憶されている原稿画像と、色変換された読取画像との対応色を抽出する。この対応色抽出部６８で原稿画像に用いられた色と読取画像で読み取られた色との対応関係が抽出され、色再現特性を取得することができる。【選択図】図３
2006094104.tif 000002
【特許請求の範囲】
【請求項１】
原稿電子画像データに基づいて画像印刷手段で原稿画像を出力し、この出力された原稿画像を画像読取手段で読み取り、この読み取られた原稿読取データと原稿電子画像データとの対応色を抽出して色再現特性を取得する色再現特性取得方法。
【請求項２】
対応色の抽出は、所定の判定基準に基づいて原稿画像の中から領域を抽出し、この抽出された領域に対して行う請求項１記載の色再現特性取得方法。
【請求項３】
対応色の抽出は、抽出された原稿画像の領域の中心値と、対応する読取画像の中心値とを対応付けて行う請求項２記載の色再現特性取得方法。
【請求項４】
対応色の抽出は、抽出された原稿画像の領域よりもサイズが小さい中心領域の平均値と、対応する読取画像の平均値とを対応付けて行う請求項２記載の色再現特性取得方法。
【請求項５】
対応色の抽出は、抽出された原稿画像の領域内中央の画素値と、対応する読取画像の領域内中央の画素値との対応付けを行う請求項２記載の色再現特性取得方法。
【請求項６】
対応色の抽出は、原稿画像から生成した色のヒストグラムと、読取画像から生成した色のヒストグラムとを比較し、頻度順序で対応付けて行う請求項２記載の色再現特性取得方法。
【請求項７】
原稿画像と読取画像の色特性に基づいて頻度順序の誤りを訂正する請求項６記載の色再現取得方法。
【請求項８】
原稿画像と読取画像との特徴を比較して原稿画像と読取画像の向きを揃え、その後対応色の抽出を行う請求項１乃至７記載の色再現特性取得方法。
【請求項９】
原稿画像と読取画像との特徴を比較して原稿画像と読取画像の倍率を補正し、その後対応色の抽出を行う請求項１乃至８記載の色再現特性取得方法。
【請求項１０】
原稿画像と読取画像との特徴を比較して原稿画像と読取画像のスキューを補正し、その後対応色の抽出を行う請求項１乃至９記載の色再現特性取得方法。
【請求項１１】
読取画像に対してスクリーン除去を行う請求項１乃至１０記載の色再現特性取得方法。
【請求項１２】
画像印刷手段と、画像読取手段と、原稿電子画像データに基づいて前記画像印刷手段で印刷した原稿画像を前記画像読取手段で読み取った原稿読取データと原稿電子画像データとの対応色を抽出する対応色抽出手段と、を有する色再現特性取得システム。
【請求項１３】
画像印刷手段と、画像読取手段と、原稿電子画像データを記憶する記憶手段と、前記画像印刷手段で印刷した原稿画像を前記画像読取手段で読み取った原稿読取データと前記記憶手段に記憶された原稿電子画像データとの対応色を抽出する対応色抽出手段とを有する色再現特性取得システム。
【請求項１４】
画像印刷手段と、画像読取手段と、原稿電子画像データからデバイス信号画像を生成するデバイス信号画像生成手段と、前記画像印刷手段で印刷した原稿画像を前記画像読取手段で読み取った原稿読取データと前記デバイス信号画像生成手段により生成されたデバイス信号画像との対応色を抽出する対応色抽出手段とを有する色再現特性取得システム。
【請求項１５】
原稿電子画像データを入力する画像入力手段と、原稿電子画像データに基づいて画像印刷手段で印刷した原稿画像を画像読取手段で読み取った原稿読取データと前記画像入力手段により入力された原稿電子画像データとの対応色を抽出する色再現特性取得システム。
【請求項１６】
画像印刷手段と、画像読取手段と、原稿電子画像データを入力する画像入力手段と、原稿電子画像データに基づいて前記画像印刷手段で印刷した原稿画像を前記画像読取手段で読み取った原稿読取データと前記画像入力手段により入力された原稿電子画像データとの対応色を抽出する色再現特性取得システム。
【発明の詳細な説明】
【技術分野】
【０００１】
本発明は、コンビニエンスストア等に設置されたカラー複合機等を利用して色再現特性を取得する方法及びシステムに関する。
【背景技術】
【０００２】
出力機器（プリンタ、印刷機、複写機、ファクシミリ等）の色再現特性を把握するために、複数のカラーパッチで校正されるカラーチャートを出力し、この出力されたカラーチャートを測色し、デバイス信号と再現色の対応関係から色変換パラメータや色補正パラメータを算出することが行なわれている。例えば、特許文献１に記載された発明では色域内に広く均一に分布するような色材量の組合せのカラーチャートを使って、色情報変換装置を実現している。また、特許文献２では、写真の色再現で特に重要な肌色のカラーチャートを使って、肌色再現評価を精度よく行なえる技術を開示している。また、国際標準ＩＳＯ１２６４２では、印刷の色再現特性を把握するためのカラーパッチセットが標準化されている。
【０００３】
【特許文献１】特開平１０−１７３９４０号公報
【特許文献２】特開２００１−７４５５６号公報
【発明の開示】
【発明が解決しようとする課題】
【０００４】
通常、例えば遠隔地で色再現を保証するためには、一方の画像出力装置の色再現特性を把握し、他方はその画像出力装置と同じ色再現を実現するために、前記色再現特性を参照して色補正を行なう。この色再現特性を把握するためには、所定のカラーチャートを出力し、測色する必要があった。このカラーチャートは利用者にとっては不必要なものであるし、また測色には高価な測色装置が必要で、更に測色する色数も多いため、多大な工数も必要になる。
【０００５】
本発明の目的は、特定された原稿に対して、効率的に色再現を保証することにある。
【課題を解決するための手段】
【０００６】
本発明の第１の特徴とするところは、原稿電子画像データに基づいて画像印刷手段で原稿画像を出力し、この出力された原稿画像を画像読取手段で読み取り、この読み取られた原稿読取データと原稿電子画像データとの対応色を抽出して色再現特性を取得する色再現特性取得方法にある。したがって、カラーパッチを出力しなくとも色再現特性を取得することができ、原稿画像の色再現を効率的に行うことができる。
【０００７】
原稿電子画像データと原稿読取データとの対応関係を抽出する場合、対応付ける画像の画素位置が少しでもずれると色の対応付けが大きく間違ってしまう場合がある。特に読取画像は、プリント時とスキャン時に位置ずれ、縮拡誤差、スキューなどによって画素位置ズレは発生し易い。
【０００８】
そのため、好ましくは、対応色の抽出は、所定の判定条件に基づいて原稿画像の中から領域を抽出し、この抽出された領域に対して行う。領域を抽出する判定条件としては、領域に属する画素値の標準偏差を所定値と比較して決めたり、領域に属する画素値の最大値と最小値の差を所定値と比較して採用できる領域か否かを決めることができる。この場合、対応色の抽出は、抽出された原稿画像の領域の中心値と、対応する読取画像の中心値とを対応付けて行ったり、抽出された原稿画像の領域よりもサイズが小さい中心領域の平均値と、対応する読取画像の平均値とを対応付けて行う。また、好ましくは、対応色の抽出は、原稿画像から生成した色のヒストグラムと、読取画像から生成した色のヒストグラムとを比較し、頻度順序で対応付けて行う。この場合、好ましくは、原稿画像と読取画像の色特性に基づいて頻度順序の誤りを訂正する。
【０００９】
また、好ましくは、対応色を抽出する前に原稿画像と読取画像との特徴を比較して原稿画像と読取画像の向きを揃えたり、原稿画像と読取画像の倍率やスキューを補正したり、読取画像に対してスクリーン除去を行う。
【００１０】
本発明の第２の特徴とするところは、画像印刷手段と、画像読取手段と、原稿電子画像データに基づいて前記画像印刷手段で印刷した原稿画像を前記画像読取手段で読み取った原稿読取データと原稿電子画像データとの対応色を抽出する対応色抽出手段と、を有する色再現特性取得システムにある。
【００１１】
本発明の第３の特徴とするところは、画像印刷手段と、画像読取手段と、原稿電子画像データを記憶する記憶手段と、前記画像印刷手段で印刷した原稿画像を前記画像読取手段で読み取った原稿読取データと前記記憶手段に記憶された原稿電子画像データとの対応色を抽出する対応色抽出手段とを有する色再現特性取得システムにある。
【００１２】
本発明の第４の特徴とするところは、画像印刷手段と、画像読取手段と、原稿電子画像データからデバイス信号画像を生成するデバイス信号画像生成手段と、前記画像印刷手段で印刷した原稿画像を前記画像読取手段で読み取った原稿読取データと前記デバイス信号画像生成手段により生成されたデバイス信号画像との対応色を抽出する対応色抽出手段とを有する色再現特性取得システムにある。
【００１３】
本発明の第５の特徴とするところは、原稿電子画像データを入力する画像入力手段と、原稿電子画像データに基づいて画像印刷手段で印刷した原稿画像を画像読取手段で読み取った原稿読取データと前記画像入力手段により入力された原稿電子画像データとの対応色を抽出する色再現特性取得システムにある。
【００１４】
本発明の第６の特徴とするところは、画像印刷手段と、画像読取手段と、原稿電子画像データを入力する画像入力手段と、原稿電子画像データに基づいて前記画像印刷手段で印刷した原稿画像を前記画像読取手段で読み取った原稿読取データと前記画像入力手段により入力された原稿電子画像データとの対応色を抽出する色再現特性取得システムにある。
【発明の効果】
【００１５】
本発明によれば、特定の原稿に対して効率的に色再現を保証することができる。
【発明を実施するための最良の形態】
【００１６】
次に本発明の実施形態について説明する。
図１において、本発明の第１の実施形態に係る色再現取得システム１０の概要が示されている。ユーザ環境１２には、例えばパーソナルコンピュータ１４が設置されている。また、例えばコンビニエンスストア等の店舗１６には、画像形成装置である例えばカラー複合機１８が設置されている。このカラー複合機１８はコインキット等と呼ばれる課金装置２０が接続されている。この店舗２０においては、不特定多数の人が課金装置２０を介して料金を払ってカラー複合機１８を使用する。カラー複合機１８は、入力指示装置を兼ねている表示部２２と、画像を読み取るスキャナ部２４と、画像を出力するプリンタ部２６とを有する。前述したパーソナルコンピュータ１４は、このカラー複合機１８にＬＡＮ（Ｌｏｃａｌ  Ａｒｅａ  Ｎｅｔｗｏｒｋ）やインターネット等の通信手段を介して接続されている。また、カラー複合機１８には、サーバ２８が同様に通信手段を介して接続されている。
【００１７】
図２において、カラー複合機１８のハードウエア構成が示されている。カラー複合機１８は、中央演算処理装置（ＣＰＵ）３２、プログラムＲＯＭ３４及びＲＡＭ３６がバス３８に接続されている。また、バス３８には、課金装置インターフェイス４０、表示部インターフェイス４２、スキャナ部インターフェイス４４及びプリンタ部インターフェイス４６及びが接続され、課金装置インターフェイス４０には課金装置２０が、表示部インターフェイス４２には表示部２２が、スキャナ部インターフェイス４４にはスキャナ部２４が、プリンタ部インターフェイス４６にはプリンタ部２６が、それぞれ接続されている。また、バス３８にはネットワークインターフェイス４８が接続され、外部からの信号を受け、外部へ信号を送るようになっている。さらにバス３８には、フレキシブルディスク、コンパクトディスク、ＤＶＤ、ＭＯ等の記憶媒体にデータを書き込んだり、画像データ等を読込むための外部メディアインターフェイス５０が接続されている。
【００１８】
図３において、プログラムＲＯＭに記憶されたプログラムによって実現されるカラー複合機１４のソフトウエア構成に関する第１の実施形態が示されている。
前段色変換部５２は、スキャナ部インターフェイスを介して入力されたＲＧＢ色信号をスキャナ部のプロファイルに従って測色値であるＣＩＥＬＡＢ（Ｌ*，ａ*，ｂ*）信号（又はＣＩＥＸＹＺ）に変換する。後段色変換部５４は、前段色変換部５２で変換されたＣＩＥＬＡＢ（Ｌ*，ａ*，ｂ*）信号（又はＣＩＥＸＹＺ）をプリンタ部のプロファイルに従ってＣＭＹＫ信号に変換する。この後段色変換部５４で変換されたＣＭＹＫ信号がプリンタ部インターフェイス４６を介してプリンタ部２６へ送られ、プリンタ部２６でプリント出力される。スキャナ部のプロファイル及びプリンタ部のプロファイルは例えば前述したＲＡＭ３６に記憶されている。
【００１９】
画像解析部５６は、ネットワークインターフェイスを介して入力された例えばＰＤＬ（ページ記述言語）等で表現されたページ画像を解析する。第１のラスタ画像生成部５８は、画像解析部５６の解析結果に応じてページ画像からＲＧＢ信号であるラスタ画像を生成する。第２のラスタ画像生成部６０は、画像解析部５６でページ画像がＣＭＹＫに変換された場合、このＣＭＹＫ信号をＲＧＢ信号に変換し、ＲＧＢ信号であるラスタ画像を生成する。ラスタ画像色変換部６２は、第１のラスタ画像生成部５８又は第２のラスタ画像生成部６０で生成されたＲＧＢ信号をＣＩＥＬＡＢ信号に変換する。このラスタ画像色変換部６２で変換されたＣＩＥＬＡＢ信号は、後段色変換部５４でＣＭＹＫ信号に変換され、この後段色変換部５４で変換されたＣＭＹＫ信号がプリンタ部インターフェイス４６を介してプリンタ部２６へ送られ、プリンタ部２６でプリント出力される。
【００２０】
画像記憶部６４は、第１のラスタ画像生成部５８又は第２のラスタ画像生成部６０で生成されたラスタ画像をＲＧＢ信号の形で記憶する。前処理部６６は、後述するように前段色変換部５２で変換されたＣＩＥＬＡＢ信号を対応色が抽出しやすいように処理する。対応色抽出部６８は、原稿電子画像データに基づいてプリンタ部２６で出力されたスキャナ部２４で読み取り、この読み取られた原稿読取データと原稿電子画像データとの対応色を抽出するものである。
【００２１】
上記構成において、通常のコピーを行う場合は、スキャナ部２４で読み取られたＲＧＢ信号が前段色変換部５２でＣＩＥＬＡＢ信号に変換され、後段色変換部５４でＣＩＥＬＡＢ信号からＣＭＹＫ信号に変換され、この変換されたＣＭＹＫ信号がプリンタ部インターフェイス４４を介してプリンタ部２６に送られ、このプリンタ部２６でプリント出力される。また、通常のプリントを行う場合は、ネットワークインターフェイス４８を介して入力されたＰＤＬが画像解析部５６で解析されて第１のラスタ画像生成部５８でラスタ画像が生成され、このラスタ画像がラスタ画像色変換部６２でＣＩＥＬＡＢ信号に変換され、この変換されたＣＭＹＫ信号がプリンタ部インターフェイス４４を介してプリンタ部２６に送られ、このプリンタ部２６でプリント出力されるか、あるいは画像解析部５６でＣＭＹＫ信号に変換され、この変換されたＣＭＹＫ信号がプリンタ部インターフェイス４４を介してプリンタ部２６に送られ、このプリンタ部２６でプリント出力される。
【００２２】
図４において、上記第１の実施形態のシステムを用いて色再現特性を取得するための制御フローが示されている。
まずステップ１０（Ｓ１０）において、入力されたＰＤＬ原稿画像を画像解析部５６で解析する。次のステップ１２（Ｓ１２）においては、第１のラスタ画像生成部５８又は第２のラスタ画像生成部６０でＲＧＢ信号であるラスタ画像を生成する。次のステップ１４（Ｓ１４）においては、ステップ１２で生成されたラスタ画像を画像記憶部６４に記憶する。次のステップ１６（Ｓ１６）においては、ステップ１２で生成されたラスタ画像をラスタ画像色変換部６２でＣＩＥＬＡＢ信号に変換し、次のステップ１８（Ｓ１８）において、後段色変換部５４でＣＩＥＬＡＢ信号からＣＭＹＫ信号に変換し、プリンタ部インターフェイス４６を介してプリンタ部２６でプリント出力する。ステップ２０（Ｓ２０）においては、ステップ１８で出力された原稿画像をスキャナ部２４でスキャンして読み取る。次のステップ２２（Ｓ２２）において、読み取ったＲＧＢ読取画像を前段色変換部５２でＲＧＢ信号からＣＩＥＬＡＢ信号に変換し、次のステップ２４（Ｓ２４）において、ＣＩＥＬＡＢに変換された読取画像を前処理部６６で前処理する。そして、次のステップ２６（Ｓ２６）において、ステップ１４において画像記憶部６４に記憶されたＲＧＢ原稿画像と、ステップ２４で前処理されたＣＩＥＬＡＢ読取画像との対応色を抽出する。
【００２３】
図５において、プログラムＲＯＭに記憶されたプログラムによって実現されるカラー複合機１４のソフトウエア構成に関する第２の実施形態が示されている。
この第２の実施形態においては、第１の実施形態の前段色変換部５２及び後段色変換部５４の代わりに第１の色変換部７０が設けられている。この第１の色変換部７０は、スキャナ部インターフェイスからのＲＧＢ信号とラスタ画像色変換部６２からのＲＧＢ信号をＹＭＣＫ信号に変換する。また、対応色抽出部６８は、画像記憶部６４に記憶されたＲＧＢ原稿画像とスキャナ部２４で読み取られたＲＧＢ読取画像との対応色を抽出する。第２の色変換部７２は、対応色抽出部６８で抽出したＲＧＢ読取対応色をＣＩＥＬＡＢ読取対応色（又はＣＩＥＸＹＺ）に変換し、ＲＧＢ原稿色とＣＩＥＬＡＢ読取色（またはＣＩＥＸＹＺ）との対応関係を得る。
【００２４】
図６において、上記第２の実施形態のシステムを用いて色再現特性を取得するための制御フローが示されている。
ステップ３０（Ｓ３０）、ステップ３２（Ｓ３２）、ステップ３４（Ｓ３４）、ステップ３６（Ｓ３６）及びステップ３８（Ｓ３８）までの処理は、前述した第１の実施形態で示したステップ１０〜ステップ１８までの処理と同様である。ステップ４０（Ｓ４０）においては、スキャナ部２４で読み取ったＲＧＢ読取画像に対して前処理を行う。次のステップ４２（Ｓ４２）においては、ＲＧＢ読取画像とＲＧＢ原稿画像との対応色を抽出する。そして、次のステップ４４（Ｓ４４）において、対応色抽出部６８で抽出したＲＧＢ読取対応色をＣＩＥＬＡＢ読取対応色（又はＣＩＥＸＹＺ）に変換し、ＲＧＢ原稿色とＣＩＥＬＡＢ読取色（またはＣＩＥＸＹＺ）との対応関係を得る。
【００２５】
次に前述した前処理の方法について説明する。
図７に示すように、まずステップ５０（Ｓ５０）において方向合せ処理を行う。この方向合せ処理は、スキャナ部２４でスキャンするときにプラテン上におく原稿の向きを誤るおそれがあるために行う。例えば読取画像を複数の領域に分割し、領域間の色の分布（明度の分布や色相の分布等）を原稿画像の分布と比較し、相関関係を抽出し、読取画像の向きが間違っている場合は読取画像を回転させて原稿画像の向きと合せる。次のステップ５２（Ｓ５２）においては、倍率及びスキュー補正を行う。例えば微分フィルタ等を用いて原稿画像と読取画像のそれぞれについてエッジ画像を生成し、双方のエッジ画像が出来るだけ重なるように、倍率補正及びスキュー補正を行う。続けて原稿画像を入力する場合は、倍率補正及びスキュー補正のパラメータを算出し、スキャナ部２４に送ってスキャナ部２４で倍率補正及びスキュー補正を行うようにしてもよい。次のステップ５４（Ｓ５４）においては、プリンタ部２６でプリント出力された原稿画像にはスクリーンがかけられているので、スキャナ部２４で原稿画像を読み取った場合にスクリーンが残らないようにフィルタ処理する。
【００２６】
次に対応色抽出方法について説明する。
図８及び図９に示すように、まずステップ６０（Ｓ６０）において、原稿画像を例えば５×５ブロックの画素値を抽出するようブロック化する。原稿画像のブロック化は、最初は原稿画像の例えば左上端から行う。次のステップ６２（Ｓ６２）においては、当該ブロックに属する原稿画像の画素値（例えばＲＧＢ値）が所定の判定条件に合致するか否かを判定する。判定条件は、当該ブロックに属する画素値の標準偏差や平均値を所定値と比較して決めたり、当該ブロックに属する画素値の最大値と最小値の差を所定値と比較して採用するか否かを決めることができる。図１０及び図１１に示すように、例えば判定条件としてＲＧＢの各チャンネルの標準偏差σが全て１６以下との領域と定めると、図１０に示したブロックでは、Ｒが０、Ｇが１３．８４、Ｂが１３．８４であるから採用するが、図１１に示したブロックでは、Ｒが９９．４４、Ｇが１０２．１２、Ｂが０であるから採用しない。また、図１２及び図１３に示すように、判定条件としてＲＧＢ値の各チャンネルのΔ（最大値−最小値）が６４以下の領域と定めると、図１２に示すブロックではＲが０、Ｇが５１、Ｒが５１であるから採用するが、図１３に示すブロックではＲが２５５、Ｇが２５５、Ｂが０であるから採用しない。
【００２７】
ステップ６２において、当該ブロックが判定条件に合致しっていると判定された場合はステップ６４（Ｓ６４）に進み、当該ブロックを対応色抽出用ブロックとし、次のステップ６６（Ｓ６６）に進む。ステップ６２において、当該ブロックが判定条件に合致していないと判定された場合はステップ６６に進み、ブロックを例えば列方向に１画素分だけ移動する。次のステップ６８（Ｓ６８）では、原稿画像の右下端までのブロックについて対応色抽出用ブロックが決定して終了したか否かを判定する。このステップ６８で全ての対応色抽出用ブロックが決定していないと判定された場合は、ステップ６２に戻る。このステップ６８で全ての対応色抽出用ブロックが決定されたと判定された場合は次のステップ７０（Ｓ７０）において、対応色を決定する。
【００２８】
対応色の決定は、図１４に示すように、原稿画像の対応色抽出用ブロック７４よりも小さいブロック（この例では対応色抽出用ブロック７４の周辺を除いた４×４のブロック）に属する各画素値の平均値と、対応する読取画像の対応色抽出用ブロック７６よりも小さいブロック（この例では対応色抽出用ブロック７６の周辺を除いた４×４のブロック）に属する各画素値の平均値とを対応付ける。また、図１５に示すように、原稿画像の対応色抽出用ブロック７４の中心画素の各画素値と、対応する読取画像の対応色抽出用ブロック７６の中心画素の各画素値とを対応付けてもよい。また、原稿画像の対応色抽出用ブロック７４内画素値の中央値と、対応する読取画像の対応色抽出用ブロック７６内画素値の中央値とを対応付けてもよい。
【００２９】
図１６及び図１７において、対応色抽出方法に関する他の実施形態が示されている。前述した実施形態においては、所定の判定条件に基づいて原稿画像の中から領域を抽出し、この抽出された領域に対して対応色の抽出を行うようにしたが、この実施形態においてはヒストグラムを用いるようにしたものである。
【００３０】
即ち、図１６に示すように、まずステップ８０（Ｓ８０）において、読取画像の近傍色を纏める。次のステップ８２（Ｓ８２）においては、原稿画像使用色についてヒストグラムを生成すると共に、ステップ８０で近傍色が纏められた読取画像使用色のヒストグラムを生成する。次のステップ８４（Ｓ８４）においては、原稿画像のヒストグラムと読取画像のヒストグラムとを頻度順序の高い順に対応付ける。そして、次のステップ８６（Ｓ８６）において頻度の誤りを補正する。誤差によって頻度順序に誤りがある可能性があるので、例えば原稿画像と読取画像との色特性（色相、彩度、明度）を参照して、頻度順序に誤りがあれば修正（順序を入れ替える等）を行う。
【００３１】
以上述べたように、カラー複合機２６を用いて色再現特性を取得することができるが、他の方法としてサーバ２８を用いることもできる。
即ち、図１８に示すように、サーバ２８は、読取画像入力部７８と、ラスタ画像入力部８０と、色変換部８２と、対応色抽出部８４とを有する。読取画像入力部７８には、カラー複合機１８のスキャナ部２４で原稿画像が読み取られたＲＧＢ読取画像がネットワークを介して入力される。ラスタ画像入力部８０には、カラー複合機１８からネットワークを介してカラーラスタ形式の原稿画像が入力される。色変換部８２は、ＲＧＢ読取画像をＣＩＥＬＡＢ等の測色値に変換する。対応色抽出部８４は、ラスタ画像入力部８０を介して入力された原稿画像のデバイス信号（ＲＧＢ等）と色変換部８２により色変換された読取画像の再現色（ＣＩＥＬＡＢ等）との対応色を抽出し、それぞれの対応データを得ることができる。また、図１９に示すように、サーバ２８にＰＤＬ画像入力部８６とラスタ画像生成部８８を設け、ＰＤＬ画像入力部８６でカラー複合機２６又は前述したパーソナルコンピュータ１４からＰＤＬ形式の原稿画像を入力し、対応色抽出部８４でラスタ画像生成部８８で生成された原稿画像のデバイス信号（ＲＧＢ等）と色変換部８２により色変換された読取画像の再現色（ＣＩＥＬＡＢ等）との対応色を抽出し、それぞれの対応データを得ることができる。
なお、読取画像をプリントセンター等の出力機器に送る場合は、読取画像の色校正以外にも、原稿画像の文字化けやレイアウト確認等も行うことができる。
【産業上の利用可能性】
【００３２】
以上述べたように、本発明は、特定された原稿に対して、効率的に色再現を行うためのシステムに利用することができる。なお、プリントしたサンプルはスキャン後は、そのまま色校正見本（色見本）として使え、カラーパッチ等の無駄なプリントを行わずにプリンタ部の色再現の状態を正確に伝えることができる。
【図面の簡単な説明】
【００３３】
【図１】本発明の実施形態に係る色再現特性取得システムを示す構成図である。
【図２】本発明の実施形態に用いたカラー複合機のハードウエア構成を示すブロック図である。
【図３】本発明のソフトウエア構成に関する第１の実施形態を示すブロック図である。
【図４】本発明の色再現特性取得に関する第１の実施形態を示すフローチャートである。
【図５】本発明のソフトウエア構成に関する第２の実施形態を示すブロック図である。
【図６】本発明の色再現特性取得に関する第２の実施形態を示すフローチャートである。
【図７】本発明の前処理に関する実施形態を示すフローチャートである。
【図８】本発明の対応色抽出に関する第１の実施形態を示すフローチャートである。
【図９】本発明のブロック抽出に関する判定条件に標準偏差を用いた場合の第１の判定状態を示す図である。
【図１０】本発明のブロック抽出に関する判定条件に標準偏差を用いた場合の第２の判定状態を示す図である。
【図１１】本発明のブロック抽出に関する判定条件に最大値と最小値との差を用いた場合の第１の判定状態を示す図である。
【図１２】本発明のブロック抽出に関する判定条件に最大値と最小値との差を用いた場合の第２の判定状態を示す図である。
【図１３】本発明のブロック抽出に関する判定条件に標準偏差を用いた場合の第１の判定状態を示す図である。
【図１４】本発明の対応色決定に関して内側の平均値を用いた場合の説明図である。
【図１５】本発明の対応色決定に関して中心値を用いた場合の説明図である。
【図１６】本発明の対応色抽出に関する第２の実施形態を示すフローチャートである。
【図１７】本発明の対応色抽出にヒストグラムを用いた場合の説明図である。
【図１８】本発明の対応色抽出をサーバで行うようにした第１の実施形態を示すブロック図である。
【図１９】本発明の対応色抽出をサーバで行うようにした第２の実施形態を示すブロック図である。
【符号の説明】
【００３４】
１０  色再現特性取得システム
１８  カラー複合機
２０  課金装置
２２  表示部
２４  スキャナ部
２６  プリンタ部
２８  サーバ
５２  前段色変換部
５４  後段色変換部
５６  画像解析部
５８  第１のラスタ画像生成部
６０  第２のラスタ画像生成部
６４  画像記憶部
６６  前処理部
６８  対応色抽出部
７０  第１の色変換部
７２  第２の色変換部
７３  色空間
７４  原稿画像のブロック
７６  読取画像のブロック
７８  読取画像入力部
８０  ラスタ画像入力部
８２  色変換部
８４  対応色抽出部
８６  ＰＤＬ画像入力部
８８  ラスタ画像生成部
【図１】
2006094104.tif 000003
【図２】
2006094104.tif 000004
【図３】
2006094104.tif 000005
【図４】
2006094104.tif 000006
【図５】
2006094104.tif 000007
【図６】
2006094104.tif 000008
【図７】
2006094104.tif 000009
【図８】
2006094104.tif 000010
【図９】
2006094104.tif 000011
【図１０】
2006094104.tif 000012
【図１１】
2006094104.tif 000013
【図１２】
2006094104.tif 000014
【図１３】
2006094104.tif 000015
【図１４】
2006094104.tif 000016
【図１５】
2006094104.tif 000017
【図１６】
2006094104.tif 000018
【図１７】
2006094104.tif 000019
【図１８】
2006094104.tif 000020
【図１９】
2006094104.tif 000021